(57)【要約】【課題】複数の表示装置に対するコンテンツ更新作業の手間を解決すること。【解決手段】情報処理装置１００は、表示画面サイズの異なる複数の表示装置２００に接続されており、上記各表示装置に表示するコンテンツを記憶するコンテンツ記憶部１０１と、上記各表示装置の各表示画面サイズに対応してそれぞれ予め設定された上記コンテンツの表示体裁を示す各表示体裁情報を記憶する表示体裁情報記憶部１０２と、上記各表示体裁情報に従って上記コンテンツの表示体裁を変換して、上記各表示装置にそれぞれ対応する各変換後コンテンツを生成するコンテンツ変換部１０３と、上記各変換後コンテンツを、上記各表示装置にて表示されるよう当該各表示装置にそれぞれ配信するコンテンツ配信部１０４と、を備える。【選択図】図８
2011175559.tif 000002
【特許請求の範囲】
【請求項１】
表示画面サイズの異なる複数の表示装置に接続された情報処理装置であって、
前記各表示装置に表示するコンテンツを記憶するコンテンツ記憶部と、
前記各表示装置の各表示画面サイズに対応してそれぞれ予め設定された前記コンテンツの表示体裁を示す各表示体裁情報を記憶する表示体裁情報記憶部と、
前記各表示体裁情報に従って前記コンテンツの表示体裁を変換して、前記各表示装置にそれぞれ対応する各変換後コンテンツを生成するコンテンツ変換部と、
前記各変換後コンテンツを、前記各表示装置にて表示されるよう当該各表示装置にそれぞれ配信するコンテンツ配信部と、
を備えた情報処理装置。
【請求項２】
請求項１に記載の情報処理装置であって、
外部からの入力に応じて、前記コンテンツ記憶部に記憶された前記コンテンツへのアクセスを許可し、当該コンテンツの編集を可能とするコンテンツ編集部を備える共に、
前記コンテンツ編集部は、外部から前記コンテンツにアクセス可能なユーザを、当該コンテンツを構成するページ毎に制限する機能を有する、
情報処理装置。
【請求項３】
請求項１又は２に記載の情報処理装置であって、
前記コンテンツは、複数の表示領域に分割されて形成されており、
外部からの入力に応じて、前記コンテンツ記憶部に記憶された前記コンテンツへのアクセスを許可し、当該コンテンツの編集を可能とするコンテンツ編集部を備える共に、
前記コンテンツ編集部は、外部から前記コンテンツにアクセス可能なユーザを、当該コンテンツの表示領域毎に制限する機能を有する、
情報処理装置。
【請求項４】
請求項１乃至３のいずれかに記載の情報処理装置であって、
前記表示体裁情報は、前記コンテンツがデジタルサイネージに表示されるときの表示体裁と、前記コンテンツがパソコンに表示されるときの表示体裁と、前記コンテンツが携帯電話機に表示されるときの表示体裁と、を示す情報である、
情報処理装置。
【請求項５】
表示画面サイズの異なる複数の表示装置と、
前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備え、前記複数の表示装置に接続された情報処理装置と、
を備えた情報表示システムであって、
前記情報処理装置は、前記各表示装置に対応する前記各表示体裁情報に従って、前記コンテンツの表示体裁を変換して、前記各表示装置にそれぞれ対応する各変換後コンテンツを生成するンテンツ変換部と、前記各変換後コンテンツを、前記各表示装置にて表示されるよう当該各表示装置にそれぞれ配信するコンテンツ配信部と、を備え、
前記表示装置は、前記情報処理装置から配信された前記変換後コンテンツを表示する表示部を備えた、
情報表示システム。
【請求項６】
表示画面サイズの異なる複数の表示装置に接続され、前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備えた情報処理装置に、
前記各表示装置に対応する前記各表示体裁情報に従って、前記コンテンツの表示体裁を変換して、前記各表示装置にそれぞれ対応する各変換後コンテンツを生成するコンテンツ変換部と、
前記各変換後コンテンツを、前記各表示装置にて表示されるよう当該各表示装置にそれぞれ配信するコンテンツ配信部と、
を実現させるためのプログラム。
【請求項７】
表示画面サイズの異なる複数の表示装置に接続され、前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備えた情報処理装置によるコンテンツ配信方法であって、
前記各表示装置に対応する前記各表示体裁情報に従って、前記コンテンツの表示体裁を変換して、前記各表示装置にそれぞれ対応する各変換後コンテンツを生成するコンテンツ変換工程と、
前記各変換後コンテンツを、前記各表示装置にて表示されるよう当該各表示装置にそれぞれ配信するコンテンツ配信工程と、
を有するコンテンツ配信方法。
【発明の詳細な説明】
【技術分野】
【０００１】
本発明は、情報処理装置にかかり、特に、種々の表示装置に表示されるコンテンツを提供する情報処理装置に関する。
【背景技術】
【０００２】
店舗などの事業者が商品やサービスを宣伝する場合には、これまで新聞の折り込み広告などの紙媒体が用いられていたが、近年では、ウェブサイトや店頭に設置するデジタルサイネージ（ディスプレイ）などの電子媒体が用いられている。また、デジタルサイネージには、近距離無線通信機が設置されており、近接された携帯電話に店舗などで利用できる電子クーポンを送信する機能を装備するなど、その利用数が増加している。
【０００３】
一方で、ウェブサイトやデジタルサイネージは、販売する商品や提供サービス内容の変更に合わせて、表示するコンテンツ（情報）も変更する必要がある。すると、その更新作業に手間がかかる、という問題が生じる。このような問題に対して、特許文献１に開示のシステムでは、店舗内に設置した表示装置に、商品ごとに設定された商品コードを直接登録可能とする機能を装備している。これにより、コンテンツの更新作業を容易にしている。
【先行技術文献】
【特許文献】
【０００４】
【特許文献１】特開２０１０−１４９２７号公報
【発明の概要】
【発明が解決しようとする課題】
【０００５】
しかしながら、近年では、コンテンツを表示する媒体がウェブサイトやデジタルサイネージというように複数にわたっているため、これら複数の媒体に対してコンテンツの更新作業を行わなければならない。従って、上述したシステムを用いた場合であっても、依然として更新作業に手間がかかる、という問題がある。
【０００６】
さらには、近年では、ショッピングモールやデパートなどの多数の店舗が出店している建物の入口に、上述したデジタルサイネージを設置することが行われているが、多数の店舗のコンテンツを１つのデジタルサイネージにて表示する場合には、そのコンテンツの管理が複雑となる、という問題も生じる。
【０００７】
このため、本発明の目的は、上述した課題である、複数の表示装置に対するコンテンツ更新作業の手間を解決することにある。
【課題を解決するための手段】
【０００８】
かかる目的を達成するため本発明の一形態である情報処理装置は、
表示画面サイズの異なる複数の表示装置に接続されており、
上記各表示装置に表示するコンテンツを記憶するコンテンツ記憶部と、
上記各表示装置の各表示画面サイズに対応してそれぞれ予め設定された上記コンテンツの表示体裁を示す各表示体裁情報を記憶する表示体裁情報記憶部と、
上記各表示体裁情報に従って上記コンテンツの表示体裁を変換して、上記各表示装置にそれぞれ対応する各変換後コンテンツを生成するコンテンツ変換部と、
上記各変換後コンテンツを、上記各表示装置にて表示されるよう当該各表示装置にそれぞれ配信するコンテンツ配信部と、
を備える。
【０００９】
また、本発明の他の形態である情報表示システムは、
表示画面サイズの異なる複数の表示装置と、
上記各表示装置に表示するコンテンツを記憶するコンテンツ記憶部と、上記各表示装置の各表示画面サイズに対応してそれぞれ予め設定された上記コンテンツの表示体裁を示す各表示体裁情報を記憶する表示体裁情報記憶部と、を備え、上記複数の表示装置に接続された情報処理装置と、を備えたシステムである。
【００１０】
そして、上記情報処理装置は、上記各表示装置に対応する上記各表示体裁情報に従って、上記コンテンツの表示体裁を変換して、上記各表示装置にそれぞれ対応する各変換後コンテンツを生成するンテンツ変換部と、上記各変換後コンテンツを、上記各表示装置にて表示されるよう当該各表示装置にそれぞれ配信するコンテンツ配信部と、を備える。
さらに、上記表示装置は、上記情報処理装置から配信された上記変換後コンテンツを表示する表示部を備えた、という構成をとる。
【００１１】
また、本発明の他の形態であるプログラムは、
表示画面サイズの異なる複数の表示装置に接続され、上記各表示装置に表示するコンテンツを記憶するコンテンツ記憶部と、上記各表示装置の各表示画面サイズに対応してそれぞれ予め設定された上記コンテンツの表示体裁を示す各表示体裁情報を記憶する表示体裁情報記憶部と、を備えた情報処理装置に、
上記各表示装置に対応する上記各表示体裁情報に従って、上記コンテンツの表示体裁を変換して、上記各表示装置にそれぞれ対応する各変換後コンテンツを生成するコンテンツ変換部と、
上記各変換後コンテンツを、上記各表示装置にて表示されるよう当該各表示装置にそれぞれ配信するコンテンツ配信部と、
を実現させるためのプログラムである。
【００１２】
さらに、本発明の他の形態であるコンテンツ配信方法は、
表示画面サイズの異なる複数の表示装置に接続され、上記各表示装置に表示するコンテンツを記憶するコンテンツ記憶部と、上記各表示装置の各表示画面サイズに対応してそれぞれ予め設定された上記コンテンツの表示体裁を示す各表示体裁情報を記憶する表示体裁情報記憶部と、を備えた情報処理装置による方法である。
そして、上記コンテンツ配信方法は、
上記各表示装置に対応する上記各表示体裁情報に従って、上記コンテンツの表示体裁を変換して、上記各表示装置にそれぞれ対応する各変換後コンテンツを生成するコンテンツ変換工程と、
上記各変換後コンテンツを、上記各表示装置にて表示されるよう当該各表示装置にそれぞれ配信するコンテンツ配信工程と、
を有する、という構成をとる。
【発明の効果】
【００１３】
本発明は、以上のように構成されることにより、情報処理装置にて、複数の表示装置に対応するようコンテンツの表示体裁が変換されてから、各表示装置に配信される。従って、自動的に各表示装置に対応して適切な状態でコンテンツを表示させることができ、コンテンツ修正作業の手間を抑制し、利便性の向上を図ることができる。
【図面の簡単な説明】
【００１４】
【図１】本発明における情報表示システムの全体構成を示す図である。
【図２】図１に開示したコンテンツ配信サーバの構成を示す機能ブロック図である。
【図３】図２に開示したコンテンツ記憶部に記憶されるコンテンツの一例を示す図である。
【図４】図２に開示した体裁データ記憶部に記憶される体裁データの一例を示す図である。
【図５】図１に開示したデジタルサイネージの設置の一例を示す図である。
【図６】図２に開示した権限データ記憶部に記憶される権限データの一例を示す図である。
【図７】図２に開示したコンテンツ配信サーバの動作を示すフローチャートである。
【図８】本発明の付記１における情報処理装置の構成を示す機能ブロック図である。
【発明を実施するための形態】
【００１５】
＜実施形態１＞
本発明の第１の実施形態を、図１乃至図７を参照して説明する。図１は、情報表示システムの構成を示す図であり、図２は、コンテンツ配信サーバの構成を示す図である。図３は、コンテンツの一例を示す図であり、図４は、体裁データの一例を示す図である。図５は、デジタルサイネージの設置例を示す図である。図６は、権限データの一例を示す図である。図７は、コンテンツ配信サーバの動作を示すフローチャートである。
【００１６】
［構成］
本発明における情報表示システムは、図１に示すように、ネットワークに接続されたコンテンツ配信サーバ１と、ユーザ端末２と、を備えている。また、コンテンツ配信サーバ１にネットワークを介して接続されたデジタルサイネージ３と、パーソナルコンピュータ４と、携帯電話機５といった、表示画面サイズの異なる複数の表示装置を備えている。
【００１７】
ここで、まず、複数の表示装置３，４，５について説明する。上記デジタルサイネージ３は、例えば、百貨店やショッピングモールなど、複数の店舗が出店している建物や地域の一角に設置され、店舗の広告や建物等に関する各種情報を表示する表示装置である。そして、デジタルサイネージ３は、後述するようにコンテンツ配信サーバ１からデジタルサイネージ用に配置やサイズなどの体裁が変換されたコンテンツが配信されるが、かかる変換されたコンテンツを表示部（ディスプレイ）に表示する機能を有する。
【００１８】
また、デジタルサイネージ３は、図５に示すように、同一の事業者が設置する場合であっても種々の場所に設置されて、当該設置される場所毎や店舗種別毎に、それぞれ異なるコンテンツが表示される。例えば、設置される地域毎（関東、関西、九州）で表示するコンテンツを区別したり、設置する店舗の種別（高級店、庶民店）でも表示するコンテンツを区別することできる。
【００１９】
さらに、デジタルサイネージ３は、近距離無線通信機３１が設置されており、近接された携帯電話機に対して、表示している店舗などで利用できる電子クーポンを送信する機能を備えている。
【００２０】
また、上記パーソナルコンピュータ４は、一般ユーザが操作する情報処理端末である。この情報処理端末は、インターネットなどのネットワークに接続して、当該ネットワーク上に設置されたウェブサーバから提供されているウェブサイトを、表示部にて閲覧することができる。つまり、パーソナルコンピュータ４は、後述するようにコンテンツ配信サーバ１からパーソナルコンピュータ用に配置やサイズなどの体裁が変換されたコンテンツが配信されるが、かかる変換されたコンテンツを表示部（ディスプレイ）に表示する機能を有する。
【００２１】
また、上記携帯電話機５は、一般ユーザが操作する携帯型情報処理端末である。この携帯電話機５は、無線基地局６などを介してインターネットなどのネットワークに接続することができ、当該ネットワーク上に設置されたウェブサーバから提供されているウェブサイトを、表示部にて閲覧することができる。つまり、携帯電話機５は、後述するようにコンテンツ配信サーバ１から携帯電話機用に配置やサイズなどの体裁が変換されたコンテンツが配信されるが、かかる変換されたコンテンツを表示部（ディスプレイ）に表示する機能を有する。
【００２２】
次に、コンテンツ配信サーバ１について説明する。コンテンツ配信サーバ１は、演算装置と記憶装置とを備えた一般的なサーバコンピュータである。そして、コンテンツ配信サーバ１は、演算装置にプログラムが組み込まれることによって構築された、コンテンツ編集部１１と、コンテンツ変換部１２と、コンテンツ配信部１３と、を備えている。また、コンテンツ配信サーバ１は、記憶装置に形成された、コンテンツ記憶部１４と、権限データ記憶部１５と、体裁データ記憶部１６と、翻訳データ記憶部１７と、を備えている。以下、詳述する。
【００２３】
まず、コンテンツ記憶部１４には、上述したデジタルサイネージ３などの表示装置に表示するコンテンツが記憶されている。コンテンツは、例えば、デジタルサイネージ３が設置される建物や場所に出店している店舗にて提供している商品やサービスを宣伝する情報や、デジタルサイネージ３が設置されている建物に関する情報である。但し、コンテンツの内容は、上述した情報に限定されない。
【００２４】
そして、コンテンツは、例えば、図３に示すように、複数のページからなり、いくつかの階層を有する構造となっている。図３の例では、複数階からなるデパートに関する情報を含むコンテンツであるが、第１階層にトップページがあり、当該トップページからアクセスできその下層に位置する第２階層に各フロアＭＡＰのページや、最新ニュース、イベント情報などを表示するページがある。そして、各フロアＭＡＰのページの下層に位置する第３階層には、該当するフロアに出店する各店舗のページがあり、さらに下層に位置する第４階層には、各店舗で発行しているクーポンを表示したり上述した近距離無線通信機３１から外部に送信するためのページがある。
【００２５】
また、コンテンツは、複数の表示領域に分割されて形成されている。例えば、図４には、デジタルサイネージ３などの各表示装置にコンテンツが表示されたときの体裁を表す体裁データを示しているが、この図に示すように、コンテンツは、領域Ａ、領域Ｂ、領域Ｃといった３つの領域に分割されて構成されている。
【００２６】
但し、上述したコンテンツは一例であって、上述した内容のものに限定されない。また、コンテンツは、必ずしも複数の表示領域に分割されていることにも限定されず、１つの表示領域に表示されるものであってもよい。さらに、コンテンツは、複数のページにて構成されていることにも限定されず、１ページにて構成されていてもよい。
【００２７】
また、上記体裁データ記憶部１６（表示体裁情報記憶部）には、各表示装置に上記コンテンツを適切に表示させるための体裁データ（表示体裁情報）を記憶している。具体的に、まず、デジタルサイネージ３、パーソナルコンピュータ４、携帯電話機５の各表示部は、それぞれ表示画面サイズが異なっているため、コンテンツを各表示画面に合わせて配置やサイズを変換する必要がある。そのために、各表示装置に対応して適切に表示させることができる配置やサイズといった体裁を表す情報を、体裁データとして記憶している。例えば、図４の符号３０，４０，５０は、それぞれデジタルサイネージ用、パーソナルコンピュータ用、携帯電話機用といったそれぞれの体裁データを示しており、各表示領域の配置や形状、サイズが異なって設定されている。
【００２８】
また、上記権限データ記憶部１５に記憶されている権限データは、上述したコンテンツにアクセスでき、当該コンテンツを編集できる権限を有するユーザを制限するためのポリシを記憶している。具体的には、まず、コンテンツを構成する各ページ毎に、アクセスして編集できるユーザを設定している。例えば、図３に示すユーザ端末２を操作するユーザは、特定の店舗や最新ニュース、イベント情報などを更新する機能を有する。
【００２９】
また、権限データは、図６に示すように、コンテンツの分割された表示領域毎に、アクセスして編集できるユーザを設定している。図６の例では、全ての表示領域のコンテンツにアクセスして編集できるユーザもいれば、一部の表示領域のコンテンツ部分にのみアクセス可能なユーザもいることとなる。具体的に、図６（Ａ）の例では、所定の店舗の総支配人は、全ての領域を編集でき、フロア部長は、Ｂ領域とＣ領域を編集でき、テナント店長は、Ｃ領域のみを編集できるよう、権限データが設定されている。また、図６（Ｂ）の例では、図５に示すように全国にチェーン店舗を展開して種々の場所にデジタルサイネージを設置している事業者の場合であり、チェーン社長は全ての領域を編集でき、地区マネージャは、Ｂ領域とＣ領域を編集でき、そして、店長は、Ｃ領域のみを編集できるよう、権限データが設定されている。
【００３０】
また、上記翻訳データ記憶部１７は、日本語と英語、日本語と中国など、複数の言語の対訳語や翻訳ルールといった翻訳情報が記憶されている。かかる翻訳情報を利用することで、後述するように、コンテンツ内の言語を他の言語に翻訳して変換することができる。
【００３１】
次に、コンテンツ編集部１１、コンテンツ変換部１２、コンテンツ配信部１３の構成について説明する。まず、コンテンツ編集部１１は、コンテンツの編集を行うことを希望するユーザが操作するユーザ端末２からのアクセスを受け、アクセス権限の認証を行う。例えば、ユーザからユーザＩＤと編集を希望するコンテンツのページ、表示領域を特定する情報を受け付け、権限データ記憶部１５に記憶されている権限データに基づいて、そのユーザが希望するコンテンツのページ及び表示領域にアクセスできるかどうか判定する。そして、アクセス権限を有するユーザからのアクセスである場合には、そのユーザにコンテンツの編集を許可する。ユーザは、ユーザ端末２から編集内容を入力することで、コンテンツ記憶部１４に記憶されているコンテンツの内容を変更することができる。
【００３２】
また、コンテンツ変換部１２は、体裁データ記憶部１６に記憶されている体裁データに従って、コンテンツの体裁を、各表示装置にて適切に表示できるよう変換する。例えば、複数の表示領域Ａ，Ｂ，Ｃに分割されて構成されているコンテンツを、図４に示すように、デジタルサイネージ表示用（３０）、パーソナルコンピュータ表示用（４０）、携帯電話表示用（５０）に対応する配置やサイズに、その体裁を変換する。そして、体裁が変換された変換後のコンテンツを生成する。
【００３３】
なお、コンテンツ変換部１２は、必要に応じて、コンテンツ内の言語を、翻訳データ記憶部１７に記憶されている翻訳情報に基づいて、所望の言語に変換して変換後のコンテンツを生成することもある。
【００３４】
そして、コンテンツ配信部１３は、上述したように、デジタルサイネージ表示用、パーソナルコンピュータ表示用、携帯電話表示用の体裁に変換した各変換後コンテンツを、デジタルサイネージ３、パーソナルコンピュータ４、携帯電話機５に、それぞれ表示するよう配信する。
【００３５】
［動作］
次に、上述した情報表示システムの動作を、主に図７を参照して説明する。なお、図７は、コンテンツ配信サーバ１の動作を示す図である。
【００３６】
まず、コンテンツを編集するユーザが、ユーザ端末２を操作して、コンテンツ配信サーバ１にアクセスする（ステップＳ１）。このとき、ユーザは、自己のユーザＩＤを入力すると共に、編集を希望するコンテンツと、当該コンテンツ内のページと、表示領域を指定する。
【００３７】
すると、コンテンツ配信サーバ１は、アクセスしてきたユーザが、指定したコンテンツのページと表示領域を編集する権限を有するか否かを、権限データ記憶部１５に記憶されている権限データに基づいて判断する（ステップＳ２）。そして、権限を有するユーザであった場合には（ステップＳ２：Ｙｅｓ）、指定したコンテンツのページと表示領域の編集を許可し、ユーザ端末２からの入力に従って、コンテンツを編集する（ステップＳ３）。
【００３８】
続いて、コンテンツ配信サーバ１は、体裁データ記憶部１６に記憶されている体裁データに従って、コンテンツの体裁を、デジタルサイネージ用、パーソナルコンピュータ用、携帯電話用の配置やサイズに変換する（ステップＳ４、コンテンツ変換工程）。そして、変換後のコンテンツを生成する。
【００３９】
このとき、コンテンツ配信サーバ１は、予めコンテンツに設定があるか、あるいは、ユーザからの指示があった場合には、コンテンツ内の言語を、翻訳データ記憶部１７に記憶されている翻訳情報に基づいて、所望の言語に変換して、変換後のコンテンツを生成する。
【００４０】
その後、コンテンツ配信サーバ１は、上述したように、デジタルサイネージ用、パーソナルコンピュータ用、携帯電話用に変換した各変換後コンテンツを、デジタルサイネージ３、パーソナルコンピュータ４、携帯電話機５に、それぞれ配信する（ステップＳ５、コンテンツ配信工程）。
【００４１】
そして、配信されたコンテンツを受信したデジタルサイネージ３、パーソナルコンピュータ４、携帯電話機５は、それぞれ、既に各表示装置にて適切に表示可能な体裁に変換された変換後のコンテンツを、そのまま他のユーザから閲覧可能なよう表示する。
【００４２】
以上のように、本発明によると、コンテンツ配信サーバ１にて、表示サイズの異なる複数の表示装置（例えば、デジタルサイネージ３、パーソナルコンピュータ４、携帯電話機５）に対応するようコンテンツの表示体裁が変換されてから、各表示装置に配信される。従って、自動的に各表示装置に対応して当該各表示装置に適切な状態でコンテンツを表示させることができる。その結果、コンテンツを管理する者によるコンテンツ修正作業の手間を抑制し、利便性の向上を図ることができる。
【００４３】
＜付記＞
上記実施形態の一部又は全部は、以下の付記のようにも記載されうる。以下、本発明における情報処理装置１００の構成の概略について、図８を参照して説明する。また、本発明における情報表示システム、プログラム、コンテンツ配信方法について説明する。但し、本発明は、以下の構成に限定されない。
【００４４】
（付記１）
表示画面サイズの異なる複数の表示装置２００に接続された情報処理装置１００であって、
前記各表示装置２００に表示するコンテンツを記憶するコンテンツ記憶部１０１と、
前記各表示装置２００の各表示画面サイズに対応してそれぞれ予め設定された前記コンテンツの表示体裁を示す各表示体裁情報を記憶する表示体裁情報記憶部１０２と、
前記各表示体裁情報に従って前記コンテンツの表示体裁を変換して、前記各表示装置２００にそれぞれ対応する各変換後コンテンツを生成するコンテンツ変換部１０３と、
前記各変換後コンテンツを、前記各表示装置２００にて表示されるよう当該各表示装置２００にそれぞれ配信するコンテンツ配信部１０４と、
を備えた情報処理装置１００。
【００４５】
（付記２）
付記１に記載の情報処理装置であって、
外部からの入力に応じて、前記コンテンツ記憶部に記憶された前記コンテンツへのアクセスを許可し、当該コンテンツの編集を可能とするコンテンツ編集部を備える共に、
前記コンテンツ編集部は、外部から前記コンテンツにアクセス可能なユーザを、当該コンテンツを構成するページ毎に制限する機能を有する、
情報処理装置。
【００４６】
（付記３）
付記１又は２に記載の情報処理装置であって、
前記コンテンツは、複数の表示領域に分割されて形成されており、
外部からの入力に応じて、前記コンテンツ記憶部に記憶された前記コンテンツへのアクセスを許可し、当該コンテンツの編集を可能とするコンテンツ編集部を備える共に、
前記コンテンツ編集部は、外部から前記コンテンツにアクセス可能なユーザを、当該コンテンツの表示領域毎に制限する機能を有する、
情報処理装置。
【００４７】
（付記４）
付記１乃至３のいずれかに記載の情報処理装置であって、
前記表示体裁情報は、前記コンテンツがデジタルサイネージに表示されるときの表示体裁と、前記コンテンツがパソコンに表示されるときの表示体裁と、前記コンテンツが携帯電話機に表示されるときの表示体裁と、を示す情報である、
情報処理装置。
【００４８】
（付記５）
表示画面サイズの異なる複数の表示装置と、
前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備え、前記複数の表示装置に接続された情報処理装置と、
を備えた情報表示システムであって、
前記情報処理装置は、前記各表示装置に対応する前記各表示体裁情報に従って、前記コンテンツの表示体裁を変換して、前記各表示装置にそれぞれ対応する各変換後コンテンツを生成するンテンツ変換部と、前記各変換後コンテンツを、前記各表示装置にて表示されるよう当該各表示装置にそれぞれ配信するコンテンツ配信部と、を備え、
前記表示装置は、前記情報処理装置から配信された前記変換後コンテンツを表示する表示部を備えた、
情報表示システム。
【００４９】
（付記６）
付記５に記載の情報表示システムであって、
前記コンテンツは、複数の表示領域に分割されて形成されており、
前記情報処理装置は、外部からの入力に応じて、前記コンテンツ記憶部に記憶された前記コンテンツへのアクセスを許可し、当該コンテンツの編集を可能とするコンテンツ編集部を備える共に、
前記コンテンツ編集部は、外部から前記コンテンツにアクセス可能なユーザを、当該コンテンツの表示領域毎に制限する機能を有する、
情報表示システム。
【００５０】
（付記７）
表示画面サイズの異なる複数の表示装置に接続され、前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備えた情報処理装置に、
前記各表示装置に対応する前記各表示体裁情報に従って、前記コンテンツの表示体裁を変換して、前記各表示装置にそれぞれ対応する各変換後コンテンツを生成するコンテンツ変換部と、
前記各変換後コンテンツを、前記各表示装置にて表示されるよう当該各表示装置にそれぞれ配信するコンテンツ配信部と、
を実現させるためのプログラム。
【００５１】
（付記８）
付記７に記載のプログラムであって、
前記情報処理装置に、さらに、外部からの入力に応じて、前記コンテンツ記憶部に記憶された前記コンテンツへのアクセスを許可し、当該コンテンツの編集を可能とするコンテンツ編集部を実現させると共に、
前記コンテンツ編集部は、外部から前記コンテンツにアクセス可能なユーザを、複数の表示領域に分割されて形成されている前記コンテンツの表示領域毎に制限する機能を有する、
プログラム。
【００５２】
（付記９）
表示画面サイズの異なる複数の表示装置に接続され、前記各表示装置に表示するコンテンツを記憶するコンテンツ記憶部と、前記各表示装置の各表示画面サイズに対応してそれぞれ予め設定された前記コンテンツの表示体裁を示す各表示体裁情報を記憶する表示体裁情報記憶部と、を備えた情報処理装置によるコンテンツ配信方法であって、
前記各表示装置に対応する前記各表示体裁情報に従って、前記コンテンツの表示体裁を変換して、前記各表示装置にそれぞれ対応する各変換後コンテンツを生成するコンテンツ変換工程と、
前記各変換後コンテンツを、前記各表示装置にて表示されるよう当該各表示装置にそれぞれ配信するコンテンツ配信工程と、
を有するコンテンツ配信方法。
【００５３】
（付記１０）
付記９に記載のコンテンツ配信方法であって、
前記情報処理装置が、外部からの入力に応じて、前記コンテンツ記憶部に記憶された前記コンテンツへのアクセスを許可し、当該コンテンツの編集を可能とするコンテンツ編集工程を有し、
前記コンテンツ編集工程は、外部から前記コンテンツにアクセス可能なユーザを、複数の表示領域に分割されて形成された前記コンテンツの表示領域毎に制限する、
コンテンツ配信方法。
【符号の説明】
【００５４】
１      コンテンツ配信サーバ
２      ユーザ端末
３      デジタルサイネージ
４      パーソナルコンピュータ
５      携帯電話機
６      無線基地局
１１    コンテンツ編集部
１２    コンテンツ変換部
１３    コンテンツ配信部
１４    コンテンツ記憶部
１５    権限データ記憶部
１６    体裁データ記憶部
１７    翻訳データ記憶部
１００  情報処理装置
１０１  コンテンツ記憶部
１０２  表示体裁情報記憶部
１０３  コンテンツ変換部
１０４  コンテンツ配信部
２００  表示装置
【図１】
2011175559.tif 000003
【図２】
2011175559.tif 000004
【図３】
2011175559.tif 000005
【図４】
2011175559.tif 000006
【図５】
2011175559.tif 000007
【図６】
2011175559.tif 000008
【図７】
2011175559.tif 000009
【図８】
2011175559.tif 000010